(57)【要約】スロット化ページング・チャネルの監視の間に休眠及び立上げモードで動作する無線通信デバイス（ＷＣＤ）において平均電力消費を低減させる方法及びシステムは複数のカウンタを用意するステップ；各カウンタに関する巡回点を他の各カウンタに対する所定のオフセットで確立するステップ；少なくとも１つの巡回点に関するタイミング点を識別するステップ；及び識別されたタイミング点の発生の間に休眠及び立上げモードの間を移行するステップを含む。
2004529517.tif 000002
【特許請求の範囲】
【請求項１】
スロット化ページング・チャネルの監視の間に休眠及び立上げモードで動作する無線通信デバイス（ＷＣＤ）において平均電力消費を低減させる方法であって、
複数のカウンタを用意すること、
各カウンタに関する巡回点を他の各カウンタに対する所定のオフセットで確立すること、
少なくとも１つの巡回点に関するタイミング点を識別すること、及び
識別されたタイミング点の発生の間に休眠及び立上げモードの間を移行すること、を含む方法。
【請求項２】
巡回点を確立することがＰＮ系列期間の周りに実質的に等しい時間増分で複数の各カウンタを配置することを含む、請求項１の方法。
【請求項３】
巡回点を確立することが複数の各カウンタを対応する疑似雑音（ＰＮ）発生器に同期させることを含む、請求項１の方法。
【請求項４】
複数の各カウンタを対応する疑似雑音（ＰＮ）発生器に同期させることが対応する各ＰＮ発生器をオフセット分だけ移動させ、それによって対応するマルチパス伝送成分の復調を可能にすることを含む、請求項３の方法。
【請求項５】
休眠及び立上げモードの間を移行することがＷＣＤに割当てられたページング・チャネル・スロットの始まり前の所定数のタイミング点で立上げモード動作を始めることを含む、請求項１の方法。
【請求項６】
休眠及び立上げモードの間を移行することがＷＣＤに割当てられたページング・チャネル・スロットの始まり前の所定数のタイミング点で休眠モード動作を始めることを含む、請求項１の方法。
【請求項７】
休眠及び立上げモードの間を移行することがＷＣＤに割当てられたページング・チャネル・スロットの始まり前の２つのタイミング点で立上げモード動作を始めることを含む、請求項１の方法。
【請求項８】
休眠及び立上げモードの間を移行することがＷＣＤに割当てられたページング・チャネル・スロット間に復号すべきページング・トラフィックがないことをＷＣＤが判定した後で最初に発生するタイミング点で休眠モード動作を始めることを含む、請求項１の方法。
【請求項９】
スロット化ページング・チャネルが符号分割多元接続（ＣＤＭＡ）信号を搬送する、請求項１の方法。
【請求項１０】
スロット化ページング・チャネルがＩＳ−９５によって動作する、請求項９の方法。
【請求項１１】
ページング・チャネルの監視の間に休眠及び立上げモードで動作する、電力消費を低減された無線通信デバイス（ＷＣＤ）であって、
各カウンタが別の各カウンタに対して所定のオフセットで巡回点をもつ複数のカウンタと、
複数のカウンタに関する巡回点で発生する複数のタイミング点と、
複数のタイミング点の１つの発生で休眠及び立上げモード動作の間でＷＣＤを移行する制御器とを含むデバイス。
【請求項１２】
各カウンタがＰＮ系列期間の周りに実質的に等しい時間増分で分配される、請求項１１のデバイス。
【請求項１３】
各カウンタが対応する疑似雑音（ＰＮ）系列発生器に同期される、請求項１１のデバイス。
【請求項１４】
対応するＰＮ系列発生器がオフセットによって移動され、それによって対応するマルチパス伝送成分の復調を可能にする、請求項１３のデバイス。
【請求項１５】
割当てられたページング・チャネル・スロットの始まり前の所定数のタイミング点で制御器が立上げモード動作を始める、請求項１１のデバイス。
【請求項１６】
割当てられたページング・チャネル・スロットの始まり前の所定数のタイミング点で制御器が休眠モード動作を始める、請求項１１のデバイス。
【請求項１７】
割当てられたページング・チャネル・スロットの始まり前の２つのタイミング点で制御器が立上げモード動作を始める、請求項１１のデバイス。
【請求項１８】
ＷＣＤに割当てられたページング・チャネル・スロット間に復号すべきページング・トラフィックがないことをＷＣＤが判定した後で最初に発生するタイミング点で制御器が休眠モード動作を始める、請求項１１のデバイス。
【請求項１９】
スロット化ページング・チャネルが符号分割多元接続（ＣＤＭＡ）信号を搬送する、請求項１１のデバイス。
【請求項２０】
スロット化ページング・チャネルがＩＳ−９５によって動作する、請求項１９のデバイス。
【請求項２１】
ページング・チャネルの監視の間に休眠及び立上げモードで動作する、電力消費を低減された無線通信デバイス（ＷＣＤ）であって、
複数のカウンタを提供する手段；
各カウンタに関する巡回点を他の各カウンタに対する所定のオフセットで確立する手段；
少なくとも１つの巡回点に関するタイミング点を識別する手段；及び
識別されたタイミング点の発生の間に休眠及び立上げモードの間で移行する手段を含むデバイス。
【請求項２２】
コンピュータ・システムのプロセッサがページング・チャネルの監視の間に休眠及び立上げモードで動作する、無線通信デバイス（ＷＣＤ）の平均電力消費を低減することを可能にするコンピュータ・プログラム論理を含むコンピュータ・プログラム製品であって、
プロセッサが複数のカウンタを提供することを可能にする手段；
プロセッサが各カウンタに関する巡回点を他の各カウンタに対する所定のオフセットで確立することを可能にする手段；
プロセッサが少なくとも１つの巡回点に関するタイミング点を識別することを可能にする手段；及び
プロセッサが識別されたタイミング点の発生の間に休眠及び立上げモードの間で移行することを可能にする手段を含むコンピュータ・プログラム製品。
【発明の詳細な説明】
【０００１】
関連特許
本発明は共通の譲請人の次の特許出願：スロット化ページングを利用する無線通信デバイスにおける立上げ時間の低減のための技術（１９９８年７月１７日出願の特許出願第０９／１１８，７５０号）に関係する。’７５０特許出願は引用文献としてその全体がここに組込まれる。
【０００２】
発明の背景
Ｉ．発明の分野
本発明は一般に無線通信システムに関する。さらには、本発明は無線通信デバイスにおいて電力消費を低減するために方法及びシステムに関する。
【０００３】
関連技術の説明
無線通信デバイス （ＷＣＤ） は一般的に稼働状態か待機状態のいずれかで動作する。稼働状態（時々、呼出状態ともいう）では、ＷＣＤは音声及び／またはデータ呼出に使用される無線周波数（ＲＦ）チャネルなどの有料交信チャネル上でユーザー情報を交換する。しかしながら、ユーザー情報が交換されていないときは、ＷＣＤは待機状態で動作する。待機状態では、ＷＣＤは基地局、衛星、及び／または他のＷＣＤなどの無線通信システム（ＷＣＳ）中の他のノードによって送信されるページング・チャネル・メッセージについてページング・チャネルを監視する。ページング・チャネル・メッセージの例は呼出開始（即ち、稼働状態動作）に対する先駆けであるリング・メッセージ及びＷＣＤの動作パラメータを更新するメッセージを含む。
【０００４】
ページング・チャネルの１つの型式はスロット化ページング・チャネルである。スロット化ページング・チャネルは複数の周期的時間スロットを含み、ＷＣＳ中の各ＷＣＤは複数の時間スロットに割当てられる。ＷＣＤは割当てられたその時間スロット間にページング・チャネル伝送を監視する。さらに、特定のＷＣＤへのメッセージはその特定のＷＣＤに割当てられた時間スロットの間にだけ送信される。ＷＣＤはその割当時間スロットの間にページング・チャネル・メッセージを受信できるので、このスロットの間は「立上げ」モードにある。立上げモード間には、ＷＣＤ内の構成要素はページング・チャネル・メッセージ受信のために設定される。ＷＣＤは一般的にその割当ページング・チャネル時間スロットの前に立上げモード動作を開始する。さらに、追加の送信を受信するといった、追加の動作を実行するために受信ページング・チャネル・メッセージがＷＣＤを必要とすれば、ＷＣＤはその割当時間スロットの後この立上げモードで動作を続ける。
【０００５】
一旦、実行されるべき追加の稼働モード動作がなければ、ＷＣＤはその割当時間スロットの連続発生の間の区間においては「休眠」モードで動作する。休眠モード動作の間、ＷＣＤはその構成要素の幾つかへの電力を止めることによりエネルギーを節約する。例えば、ＷＣＤはその特定のＷＣＤへ情報が送られない時間区間には必要でない受信や処理に使用される幾つかの構成要素の動作を停止できる。この停止はカウンタ及び系列発生器といった、内部処理を一般的に「凍結する」。さらに、この停止はまた他の幾つかの構成要素の電力消費を低減する。
【０００６】
ＩＳ−９５Ａ及びＩＳ−９５Ｂ（ここではＩＳ−９５システムとして引用される）といったＣＤＭＡ規格に従って動作するＷＣＳにおいて、ページング・チャネル・トラフィックといった、情報はシンボル系列の形式で送信ノード（送信器）及び受信ノード（受信器）間で送信される。この情報は疑似雑音（ＰＮ）系列に従ってインタリーブ、符号化、拡散され、そして携帯電話などのＷＣＤによって受信されるよう送信される無線周波数（ＲＦ）信号の中に変調される。受信の際、これらの信号はベースバンド信号に変換され、逆拡散、逆インタリーブされ、そして元の送信情報シンボル系列に復号される。
【０００７】
ＣＤＭＡシステムにおける送信器及び受信器の間の伝送は送信器においてＰＮ系列により拡散され、受信器において同じＰＮ系列に逆拡散される。ＩＳ−９５システムにおいて、これらのＰＮ系列は２１５のシンボル（チップ）の長さを持っており、１．２２８ＭＨｚのチップ率を持つ。従って、ＰＮ系列の期間は２６．６６７ミリ秒である。情報の適切な受信のために、送信器におけるＰＮ系列生成処理は受信ＷＣＤにおけるＰＮ系列生成処理と合わなければならない。
【０００８】
そのようなシステムにおいて、インタリーブはＩＳ−９５システムにおける２０ミリ秒といったようなインタリーブ時間フレームに基づいている。ＷＣＤにおける情報の適切な受信のために、送信器のインタリーブ処理と受信ＷＣＤにおける逆インタリーブ処理の双方は、また互いに同期しなければならない。
【０００９】
さらに、ＷＣＤはそのＰＮ系列逆拡散処理とその逆インタリーブ処理の間に内部同期を維持する必要がある。即ち、ＷＣＤが休眠モードから立上げモードへ移行するとき、そのＰＮ系列逆拡散処理とその逆インタリーブ処理はＷＣＤが介在休眠モード区間に立上げられたかのように動作を再開しなければならない。本質的に、ＷＣＤはビートを決して逸しなかったかのように動作し続けなければならない。
【００１０】
そのような内部同期の発生を保証する１つの技術はインタリーブ時間フレームとＰＮ系列期間の双方の整数倍数に時間が等しい休眠モード区間を用いることを含む。この手法によれば、ＷＣＤが休眠モードから立上げモードへ移行するとき、その処理は前回休眠モードへの移行が発生したとき動作していたＰＮ系列及びインタリーブ・フレームにおける同じ点で動作を再開する。さらに、この移行はインタリーブ時間フレーム及びＰＮ系列期間の双方の整数倍数で発生するから、これらの処理は内部で同期される。
【００１１】
インタリーブ時間フレーム及びＰＮ系列期間の双方の最小整数倍数はそれらの最小公倍数である。ＩＳ−９５システムの場合、この最小公倍数は８０ミリ秒（即ち、２６．６６７ミリ秒のＰＮ系列期間の３倍及び２０ミリ秒のインタリーブ時間フレームの４倍）に等しい。休眠及び立上げモードのタイミングに対する従来の手法はこの最小公倍数の手法を用いる。従って、ＩＳ−９５システムでは、この手法による休眠モード区間は８０ミリ秒の粗い密度（ｇｒａｎｕｌａｒｉｔｙ）に制約される。
【００１２】
電池または固定エネルギー源によって電力を供給されたＷＣＤについて、待機状態にある時間はデバイスの平均電流消費を低減することによって増加する。この低減を達成する１つの方法は立上げモード区間の期間を減らしながら休眠モード区間の期間を増加することである。一般に、立上げモードにおいて費やされる時間の一部は休眠モードにおいて費やされる時間量よりはるかに小さい。しかしながら、立上げモードにおいて消費される電流は一般に休眠モードにおいて消費される電流より数倍も大きいから、立上げモードにおいて費やされる時間量のあらゆる低減は電流消費及び待機時間にかなりの改善をもたらすことができる。
【００１３】
従って、必要なことはＷＣＤが立上げモードにおいて費やす時間量を低減する技術であり、それによってデバイスの動作時間を増加することである。
【００１４】
発明の要約
本発明はＷＣＤの動作時間を延長するためのシステム及び方法に関するもので、そこではＷＣＤはスロット化ページング・チャネルを監視しながら休眠モードで動作することができる。本発明の方法は各カウンタが別の各カウンタに関して所定のオフセットで巡回するように複数のカウンタを分配するステップ；複数のカウンタについて時間にわたる巡回において発生する複数のタイミング点を準備するステップ；及び複数のタイミング点の１つの発生において休眠及び立上げモード動作の間を移行するステップを含む。
【００１５】
分配ステップはおおよそＰＮ系列期間に実質的に等しい時間増分で複数の各カウンタの間隔を置くステップを含む。このステップはまた複数の各カウンタを対応する疑似雑音（ＰＮ）系列発生器に同期させるステップを含む。そのような同期は対応する各ＰＮ系列をオフセット分だけ移動させることを含み、それによって対応するマルチパス伝送成分の復調を可能にする。
【００１６】
移行ステップはＷＣＤに割当てられたページング・チャネル・スロットの始りの前に所定数のタイミング点で立上げモード動作を開始するステップを含む。例えば、このステップはそのようなページング・チャネル・スロットの始りの前に２つのタイミング点で立上げモード動作を開始することを含む。
【００１７】
さらに、移行ステップはＷＣＤに割当てられるページング・チャネル・スロットの始まりの後で所定数のタイミング点で休眠モード動作を開始するステップを含む。さらに、このステップはＷＣＤがそのようなページング・チャネル・スロットの間に復号すべきページング・トラフィックがないことを判定した後に最初に発生するタイミング点で休眠モード動作を開始するステップを含む。
【００１８】
本発明はさらに細かな密度の休眠モード区間期間を達成するのに有利であり、 それによって休眠モード区間の長さを延長し、そしてＷＣＤの動作時間を増加させる 。
【００１９】
本発明はまた受信信号の品質を維持するのに有利である。いくつかの手法はＷＣＤの復調処理から復調フィンガを取除くことによって休眠モード区間期間をある程度まで拡張する。そのような復調フィンガの除去は受信信号の品質を低下させる。これに対して、本発明は復調処理において全ての復調フィンガを保持することによって信号品質を維持する。
【００２０】
本発明は付属の図を参照して記述される。これらの図では、同様な参照番号（数字）は一般に同一の、機能的に同様の、及び／または構造的に同様の要素を示す。要素が最初に現れる図は参照番号における最左の数字で示される。
【００２１】
好ましい実施例の詳細な説明
Ｉ．序論
本発明は従来の技術に対してさらに細かな密度の休眠モード区間期間を達成するための技術を指向する。このさらに細かな密度は休眠と立上げモード動作間の移行に対してさらに頻繁な機会をＷＣＤに提供するタイミング点の使用によって達成される。この細かな密度の結果として、ＷＣＤは休眠モード区間の長さを拡張し、それによってその動作時間を増加する。これらのタイミング点は復調フィンガ・カウンタ及び結合器カウンタといった、カウンタに基づいており、典型的なＷＣＤを参照してここで記述される。
【００２２】
ＩＩ．無線通信システム
図１は典型的な無線通信システム（ＷＣＳ）１００の図である。典型的なＷＣＳ１００は第１及び第２の基地局１０２ａ及び１０２ｂ、無線通信デバイス （ＷＣＤ）１０６、及びシステム制御器１０８を含む。
【００２３】
多くのＷＣＳでは、マルチパス伝送が発生する。マルチパス伝送は個々のＲＦ波面であり、ここでは単一のＲＦ送信器による伝送から生じるマルチパス成分として引用される。マルチパス伝送は他の物理的現象と同様に波面反射によって引き起こされる。ＷＣＤ１０６といった受信デバイスに対して、明らかな時間ずれや、通常は異なる信号強度であることを除けば、各マルチパス成分は同一であるように見える。ＣＤＭＡシステムでは、これらのマルチパス成分の時間ずれが１ＰＮチップの期間より大きければ、個々のマルチパス成分は独立に区別でき、そして単一の情報ストリームに結合できる。そのような結合技術は全体の信号対雑音比を増加させ、それによってシンボル誤りの確率を低減する。
【００２４】
ＩＳ−９５システムでは、符号化、インタリーブ、且つ変調され、そして基地局１０２によりＷＣＤ１０６に送信される信号をページング・チャネルは搬送する。
【００２５】
ページング・チャネルは固定の期間を有する複数のスロットに分割される繰返しフレームを含む。図２は典型的なページング・チャネル・フレーム２００の図である。ページング・チャネル・フレーム２００は複数のページング・チャネル・スロット２０２を含む。各ページング・チャネル・スロット２０２はページング・チャネル期間２０６を持つ。ＩＳ−９５システムでは、ページング・チャネル・スロット期間２０６は８０ミリ秒である。ページング・チャネル・フレーム２００はページング・チャネル・フレーム期間２０４を持つ。図２で示したように、複数のＷＣＤ１０６は特定のページング・チャネル・スロットに各々個々に割当てられる。例えば、ＷＣＤ１０６ａ、１０６ｂ、及び１０６ｅはページング・チャネル・スロット２０２ａに割当てられる；ＷＣＤ１０６ｃはページング・チャネル２０２ｂに割当てられる；ＷＣＤ１０６ｄ及び１０６ｇはページング・チャネル・スロット２０２ｃに割当てられる；等々。
【００２６】
ＩＩＩ．無線通信デバイス
図３ＡはＷＣＤ１０６の典型的なスロット化ページング・チャネル受信部の機能的ブロック図である。図３Ａに示されたように、ＷＣＤ１０６はアンテナ部３０２、アナログ受信モジュール３０４、復調モジュール３０６、逆インタリーブ・モジュール３０８、復号モジュール３１０、及び制御器３１２を含む。
【００２７】
アンテナ部３０２は基地局１０２ａ及び／または１０２ｂからの無線周波数（ＲＦ）伝送を受信する。アンテナ部３０２は電気信号としてのこれらの伝送をアナログ受信モジュール３０４に送る。さらに、アンテナ部３０２はＷＣＤ１０６中の伝送電力増幅器（図示せず）から無線伝送の電気信号を受信する。従って、アンテナ部３０２中の単一アンテナによってＲＦ信号の同時伝送及び受信を可能にするために、当該技術者には明らかなように、アンテナ部３０２はダイプレクサを含む。
【００２８】
アナログ受信モジュール３０４はＲＦ周波数帯の中でアンテナ部３０２から電気信号を受信する。さらに、アナログ受信モジュール３０４はこれらのＲＦ信号を中間周波数（ＩＦ）帯にダウンコンバートする。このダウンコンバージョンは当該技術者には明らかな周波数ダウンコンバージョン技術によって実行される。実施例では、アナログ受信モジュール３０４はまた特定の帯域幅によってこれらのＩＦ信号を濾過（フィルタ）する。
【００２９】
さらに、当該技術者には明らかなように、アナログ受信モジュール３０４はアナログ・ディジタル（Ａ／Ｄ）変換技術を用いてＩＦ信号を対応するディジタル信号に変換する。このＡ／Ｄ変換はＷＣＳ１００で用いられる疑似雑音（ＰＮ）チップ率の整数倍数である標本化率で行われる。しかしながら、別の標本化率もまた使用できる。Ａ／Ｄ変換が行われた後で、得られたディジタル化ＩＦ信号は復調モジュール３０６に転送される。
【００３０】
復調モジュール３０６はアナログ受信モジュール３０４からディジタル化ＩＦ信号を受信し、これらのディジタル化ＩＦ信号を１以上のベースバンド情報シンボル系列に変換する。復調モジュール３０６は各情報シンボル系列が特定のマルチパス伝送成分に対応する複数のベースバンド情報シンボル系列を生成する。復調モジュール３０６はシンボル誤りの確率を低減するためにこの複数の系列を単一情報系列に結合する。これらの系列は当該技術者に既知の信号結合技術によって結合される。復調モジュール３０６の動作特性及び機能性に関するさらなる詳細は図３Ｂを参照して記述される。一旦これらの系列が結合されると、復調モジュール３０６は１つの情報シンボル系列を逆インタリーブ・モジュール３０８に転送する。
【００３１】
逆インタリーブ・モジュール３０８は復調器モジュール３０６からベースバンド情報シンボル系列を受信し、そしてこのシンボル系列の部分（ｓｅｇｍｅｎｔ）を各逆インタリーブ・フレームが所定の期間を有する逆インタリーブ・フレームとして知られる複数の部分に分割する。ＩＳ−９５システムは期間が２０ミリ秒である逆インタリーブ・フレームを用いる。逆インタリーブ・モジュール３０８はＷＣＳ１００によって使用されるインタリーブ／逆インタリーブ方式に従ってこれらのフレームを配列し、それによって逆インタリーブされた情報シンボル系列を生成する。特に、逆インタリーブ・モジュール３０８はＷＣＳ１００中の１以上の送信器によって行われたインタリーブ機能の逆を実行する。インタリーブ及び逆インタリーブに関するさらなる詳細はＩＳ−９５Ａ及びＩＳ−９５Ｂに含まれる。逆インタリーブ・モジュール３０８はこの逆インタリーブされたシンボル系列を復号モジュール３１０に転送する。
【００３２】
復号モジュール３１０は逆インタリーブ・モジュール３０８から逆インタリーブされたシンボル系列を受信し、そしてこの系列を復号する。復号モジュール３１０はＷＣＳ１００によって使用される順方向誤り訂正符号化（ＦＥＣ）方式によって復号する。復号モジュール３１０はビタビ（Ｖｉｔａｂｉ）復号器を含む。ビタビ符号化及び復号化に関するさらなる詳細はＩＳ−９５Ａ及びＩＳ−９５Ｂに含まれる。しかしながら、復号モジュール３１０は当該技術者に既知の他の符号化方式（例えば、循環及び／またはブロック誤り訂正符号化方式）によって復号する。
【００３３】
復号モジュール３１０は復号されたシンボル系列を制御器３１２に転送する。しかしながら、復号モジュール３１０は代りに、または追加して、ＷＣＤ１０６内の他の構成要素（図示されない）に復号されたシンボル系列を転送する。
【００３４】
制御器３１２はアナログ受信モジュール３０４、復調モジュール３０６、逆インタリーブ・モジュール３０８、及び復号モジュール３１０に接続されて動作する。制御器３１２は復号モジュール３１０から復号された情報シンボル系列を受信する。これらの復号された情報シンボル系列はＷＣＳ１００から受信された１以上のページング・メッセージを含む。制御器３１２はこれらのページング・メッセージに応答し、そしてアンテナ部３０２によってこれらの応答をＷＣＳ１００に伝送するＷＣＤ１０６の伝送部（図示されず）にそれらを送信する。
【００３５】
制御器３１２はＷＣＤ１０６内の様々な構成要素の動作を推進するプロセッサ、メモリ、発振器、クロック、及び／またはカウンタ（図示されず）を含む。例えば、制御器３１２はアナログ受信モジュール３０４中のダウンコンバージョン機能を調節する発振器、及びＷＣＤ１０６が遊休状態で動作しているとき休眠及び立上げモード区間のタイミング及び期間を制御するカウンタを含む。さらに、制御器３１２は復調モジュール３０６、逆インタリーブ・モジュール３０８、及び復号モジュール３１０によって実行される逆インタリーブ、結合、及び復号機能に同期するカウンタを含む。
【００３６】
図３Ｂはさらに詳細な復調モジュール３０６の説明図である。復調モジュール３０６は探索器３３０、複数の復調フィンガ３３２、対応する複数のバッファ３３４、結合器３３６、及び結合器カウンタ３３８を含む。ここに記述されたように、復調モジュール３０６はアナログ受信モジュール３０４から信号３２０を受信する。信号３２０は複数のマルチパス成分を含むディジタル化ＩＦ信号である。復調モジュール３０６は１以上のこれらのマルチパス成分を抜出し、対応するシンボル系列を生成するためにそれらをＰＮ系列と逆拡散する。さらに、復調モジュール３０６は結合器３３６で結合するこれらのシンボル系列を時間整列するためにバッファ３３４を用いる。結合器３３６は逆インタリーブ・モジュール３０８に送信される結合されたシンボル系列を生成する。
【００３７】
探索器３３０は１以上の複数のマルチパス成分に関するタイミング基準を得るために複数のＰＮ系列オフセットで信号３２０の標本を相関させる。これらのタイミング基準が得られた後で、１以上のマルチパス成分の各々は対応する復調フィンガ３３２に割当てられる。図３Ｂは４個の復調フィンガ３３２ａ〜３３２ｄを示す。しかしながら、あらゆる数の復調フィンガ３３２が使用できることは当該技術者には明白であろう。
【００３８】
各復調フィンガ３３２はディジタル受信要素３４０、フィンガ・カウンタ３４２ 、ＰＮ系列発生器３４４及び乗算器３４６を含む。ディジタル受信要素３４０は信号３２０をベースバンド・シンボル系列に変換する。ＰＮ系列発生器３４４は対応するマルチパス成分のＰＮ系列と同期するＰＮ系列を生成する。乗算器３４６で、この同期されたＰＮ系列は逆拡散シンボル系列を生成するためにディジタル受信成分によってベースバンド・シンボル系列と乗算、または相関される。
【００３９】
特定の各復調フィンガ３３２中で、フィンガ・カウンタはＰＮチップがＰＮ系列発生器３４４によって発生するたびに増加（ｉｎｃｒｅｍｅｎｔ）する。フィンガ・カウンタ３４２はＰＮ系列発生器３４４によって使用されるＰＮ系列の長さを持つ巡回カウンタである。このように、対応するＰＮ系列発生器３４４がＰＮ系列期間を終了するたびにフィンガ・カウンタ３４２は「巡回する」。図３Ｂで示されたように、フィンガ・カウンタ３４２及びＰＮ系列発生器３４４は探索器３３０からの同期命令及び／または信号を受信することが示される。さらなる実施例では、図３Ａで示されるように、これらの命令及び／または信号は制御器３１２から受信される。
【００４０】
各復調フィンガ３３２のために、対応するバッファ３３４がある。各バッファ３３４はその対応する復調フィンガ３３２から逆拡散シンボル系列３６０を受信する。フィンガ・カウンタ３４２の出力は対応するバッファ３３４の書込み指数３６２として使用される。各バッファ３３４ははっきりしたマルチパス成分に対応する逆拡散シンボル系列を受信する。各マルチパス成分は異なる伝搬遅延を持っているから、復調フィンガ３３２の各々からの同様な指数の付いたシンボルは対応するバッファ３３４に別々の時間に書込まれる。
【００４１】
各々のバッファ３３４は時間整列された同様な指数の付いたシンボルを出力する。この時間整列を達成するために、各バッファ３３４はバッファ深さを有する。時間整列に必要な遅延が受けられて、このバッファ深さはシンボルの収集を可能にする。このバッファ深さは８シンボルである。当該技術者には明らかなように、あらゆる数のシンボルのバッファ深さが用いられる。
【００４２】
バッファ３３４からのシンボル出力は結合器カウンタ３３８によって制御され、それは、各バッファ３３４への読込み指数として機能する。結合器カウンタ３３８は、各フィンガ・カウンタ３４２のように、各ＰＮ系列発生器３４４によって用いられるＰＮ系列の長さを持つ巡回カウンタである。結合器カウンタ３３８は特定のフィンガ・カウンタ３４２から幾つかのＰＮチップだけ遅れる（この数は、決まった一定値になる傾向であるが、一定ではない。定常状態では、その数は一定である） 。この特定のフィンガ・カウンタ３４２は最小伝搬遅延（即ち、最も早く到着するマルチパス）を持つマルチパス成分を追跡する復調フィンガ３３２に対応する。
【００４３】
各バッファ３３４からの出力に関して、時間整列されたシンボル系列は結合器で加算され、それによって単一のシンボル系列３６４を生成する。結合器３３６による加算の前に、個々の各時間整列された系列は、当該技術者には明らかなように、結合されたシンボル系列３６４の品質を最適化するように重み付け及び／または処理される。
【００４４】
ＩＶ．フィンガ・タイミング方式
ここに記述されたように、ＰＮ系列発生器３４４によって生成された系列は周期的な繰返し系列である。このように、これらの系列の間のタイミング関係はフェーザー図を使用して図示される。そのようなものとして、図４Ａ及び４Ｂは２つの異なるフィンガ・タイミング方式によりＰＮ系列発生器３４４ａ−ｄによって生成された系列間のタイミング関係を図示する時計回り（右回り）回転様式を用いたフェーザー図である。ここに記述されたように、各ＰＮ系列発生器３４４はＷＣＤ１０６からアンテナ部３０２によって受信された特定のマルチパス成分に同期される。図４Ａ及び４Ｂのフェーザー図は同じマルチパス成分を追跡する２つの異なる手法を図示する。図４Ａに図示された手法は共にぎっしりと密集する位相をもつＰＮ系列を包含する。これに対して、図４Ｂに図示された手法はさらに大きな位相分布を有するＰＮ系列を包含する。
【００４５】
図４Ａは第一の手法によるＰＮ系列のタイミング関係を図示する第一のフェーザー図４００である。フェーザー図４００はＰＮ循環４０２及び複数のＰＮ系列フェーザー４０４ａ−ｄを含む。ＰＮ循環４０２はＰＮ系列の連続サイクルを表す。各フェーザー４０４ａ−ｄは対応するＰＮ系列発生器３４４によって生成されるＰＮ系列を表す。ＰＮ系列期間時間窓の中のフェーザー４０４ａ−ｄの間のタイミング関係は特定の順序に従う。特に、フェーザー４０４ａはフェーザー４０４ｂを導く。次いで、フェーザー４０４ｂはフェーザー４０４ｃを導き、フェーザー４０４ｃはフェーザー４０４ｄを導く。従って、フェーザー４０４ａで表されたＰＮ系列は主要なＰＮ系列としてここに参照される。各ＰＮ系列は特定のマルチパス成分と同期させられるから、主要なＰＮ系列は最小伝搬遅延（即ち、最も早く到着するマルチパス）をもつマルチパス成分と同期される。
【００４６】
図４Ｂは第二の手法によるＰＮ系列のタイミング関係を図示する第二のフェーザー図４５０である。フェーザー図４５０はＰＮ循環４５２及び複数のＰＮ系列フェーザー４５４ａ−ｄを含む。ＰＮ循環４５２はＰＮ系列の連続サイクルを表す。各フェーザー４５４ａ−ｄは対応するＰＮ系列発生器３４４によって生成されるＰＮ系列を表す。
【００４７】
共に密集するフェーザー４０４とは異なり、各フェーザー４５４ａ−ｄは実質的に９０度（即ち、ＰＮ系列期間の４分の１）だけ分離される。このさらに大きい位相分離にもかかわらず、フェーザー４５４ａ−ｄで表されたＰＮ系列はまた図４Ａについて上で記述された手法で追跡される同じマルチパス成分を追跡することができる。この９０度位相分離にもかかわらずマルチパス成分のこの追跡はＰＮ系列移動技術によって可能になる。
【００４８】
ＰＮ系列移動技術は所望の数のＰＮチップによってＰＮ系列が移動されることを可能にする。ＰＮ系列発生器３４４は移動マスクの入力に対して移動を瞬時に生成する。ＰＮ系列移動技術及び移動マスクに関するさらなる詳細は本発明の譲請人に譲渡された（引用文献としてその全てがここに組み込まれた）、１９９３年７月１３日に発行された、「高速オフセット調整をもつ二乗長さの疑似雑音系列発生器（Ｐｏｗｅｒ− ｏｆ−Ｔｗｏ Ｌｅｎｇｔｈ Ｐｓｅｕｄｏ−Ｎｏｉｓｅ Ｓｅｑｕｅｎｃｅ Ｇｅｎｅｒａｔｏｒ ｗｉｔｈ Ｆａｓｔ Ｏｆｆｓｅｔ Ａｄｊｕｓｔｍｅｎｔ）」と題する米国特許第５，２２８，０５４号に記述されている。特定のＰＮ系列発生器３４４について、対応するフィンガ・カウンタ３４２が巡回するとき、対応するＰＮ系列を移動することは影響しない。従って、フェーザー４５４はＰＮ系列移動にもかかわらずそれらの位相分離を維持する。
【００４９】
結合器カウンタ３３８はフィンガ・カウンタ３４２に同期される。例えば、図４Ａ及び４Ｂについて記述されたように、結合器カウンタ３３８は主要なＰＮ系列に対応するフィンガ・カウンタ３４２から所定の数のＰＮチップだけ遅延する。結合器カウンタ３３８はＰＮ系列期間毎に一度（例えば、ＩＳ−９５システムでは２６．６６７ミリ秒毎に一度）巡回する。
【００５０】
ある瞬間に、結合器カウンタ３３８は別のフィンガ・カウンタ３４２に再同期される。ＰＮ系列期間毎に一度なお巡回しながら、再同期された結合器カウンタ３３８はある量だけ時間が移動される瞬間に巡回するであろう。
【００５１】
従って、 ＷＣＤ１０６が図４Ａを参照してここで記述されたフィンガ・タイミング方式によって動作するとき、結合器カウンタ３３８の再同期はその巡回時間に移動を与えるであろう。この移動はマルチパス成分の遅延と同量の大きさをもつであろう。これらの大きさはＰＮ循環４０２上で共に密集するフィンガ・カウンタ３４２に起因する。
【００５２】
これに対して、ＷＣＤ１０６が図４Ｂを参照してここで記述されたフィンガ・タイミングに従って動くとき、結合器カウンタ３３８の再同期はその巡回時間にさらに大きな移動を与えるであろう。そのような本質的な移動は、フィンガ・カウンタ３４２がＰＮ循環４５２を横断して位相が分配されるために発生する。例えば、ＰＮ循環４５２を横断して実質的に等しい時間増分で分配される４個のはっきりしたフィンガ・カウンタ３４２をフェーザー４５４が表す図４Ｂにおいて、フィンガ・カウンタ３４２はＰＮ系列期間の４分の１毎に凡そ一度（例えば、ＩＳ−９５システムでは６．６６７ミリ秒毎に一度）巡回する。
【００５３】
Ｖ．休眠及び立上げモードの移行
ＷＣＤ１０６は図４Ｂを参照して記述されたフィンガ・タイミング方式を用いる。従って、複数のフェーザーはＰＮ循環４５２を横断して実質的に等しい態様で分配される。各フェーザーは対応フィンガ・カウンタ３４２によって生成されるＰＮ系列を表す。このタイミング方式の特定の実施では、４個のフィンガ・カウンタ３４２はＰＮ循環４５２を横断して実質的に等しい態様で位相分配される。このように、この実施によれば、フィンガ・カウンタ３４２はＰＮ系列期間の４分の１毎に凡そ一度（例えば、ＩＳ−９５システムでは６．６６７ミリ秒毎に一度）巡回する。
【００５４】
結合器カウンタ３３８は特定のフィンガ・カウンタ３４２に同期される。結合器カウンタ３３８は特定のフィンガ・カウンタ３４２から幾つかのＰＮチップだけ遅れる。この特定のフィンガ・カウンタ３４２は主要ＰＮ系列を生成するＰＮ系列発生器３４４に対応する。
【００５５】
図５は遊休期間におけるＷＣＤ１０６の動作を図示するフローチャートである。この動作はステップ５０２で始まる。このステップでは、ＷＣＤ１０６は電力を供給される。ＷＣＤ１０６は電池などの有限のエネルギー源によって電力を供給される。
【００５６】
次に、ステップ５０４では、アナログ受信モジュール３０４が初期化される。このステップはダウンコンバージョン、ロック利得調整回路、及びロックＤＣバイアス回路に使用される周波数シンセサイザをロックするステップを含む。これらのステップはアナログ受信モジュール３０４がアンテナ部３０２によって受信されたＲＦ信号から有効なベースバンド信号を生成することを可能にする。ステップ５０４の実行は初期化時間を必要とする。
【００５７】
ステップ５０６がステップ５０４の実行の後に続く。ステップ５０６では、探索器３３０がマルチパス伝送成分を見つけるためにＰＮオフセットを探索する。ステップ５０６はマルチパス成分が存在するか否かを各ＰＮ系列オフセットで判定するステップを含む。このステップは当該技術者には明らかである信号処理技術によって実行される。
【００５８】
ステップ５０８では、ＷＣＤ１０６はステップ５０６において識別された最も強い各マルチパス成分を対応する復調フィンガ３３２に割当てる。実施例では、ステップ５０８は、各復調フィンガ３３２について、割当てられたマルチパス成分の逆拡散を可能にするためＰＮ系列発生器３４４及びフィンガ・カウンタ３４２を同期させるステップを含む。
【００５９】
基地局１０２はＷＣＤ１０６がシステム同期を達成できる同期チャンネルを伝送する。このように、ステップ５１０では、ＷＣＤ１０６は同期チャンネルを獲得し、且つ復号し、それによってＷＣＳ１００との同期を達成する。
【００６０】
ステップ５１２では、ＷＣＤ１０６は結合器カウンタ３３８を初期化する。ステップ５１２は結合器カウンタ３３８をいくつかのＰＮ系列チップに等しい所定の遅れでフィンガ・カウンタ３４２を同期的に追跡するように設定するステップを含む。この所定の遅れはバッファ３３４の深さに等しくなるように設定される。
【００６１】
ステップ５１４はステップ５１２の実行の後に続く。ステップ５１４では、ＷＣＤ１０６はＰＮ系列発生器３４４によって生成された系列を移動させる。この移動は図４Ｂを参照してここに記述されたタイミング方式によって行われる。ステップ５１４は制御器３１２と接続された復調モジュール３０６によって実行される。
【００６２】
次に、ステップ５１６では、ＷＣＤ１０６はページング・チャネルを復号する。このステップは複数のシンボルを含む基地局発のメッセージを受信するステップを構成する。これらのメッセージの受信は信号をアンテナ部３０２によって獲得すること、及びアナログ受信モジュール３０４、復調モジュール３０６、 逆インタリーブ・モジュール３０８、及び復号モジュール３１０の動作によってこれらの信号をシンボル・ストリームに変換することを含む。ステップ５１６は制御器３１２がこのシンボル・ストリームを受信し、そしてあらゆる構成要素のページング・チャネル・メッセージを識別するステップをさらに含む。
【００６３】
ステップ５１６の実行の後で、ＷＣＤ１０６はあらゆる受信ページング・チャネル・メッセージの処理を進める。ステップ５１８では、ＷＣＤ１０６は受信したページング・メッセージが稼働状態への移行を必要とするかどうかを判定する。そうであれば、動作は稼働状態処理のステップ５４０に進む。他の場合は、動作はさらなる遊休状態処理のステップ５２０に続く。入来する呼出しをＷＣＤ１０６に通告するリング・メッセージはそのような稼働状態への移行を必要とするページング・チャネル・メッセージの一例である。ステップ５１８は制御器３１２によって実行される。
【００６４】
ステップ５２０はステップ５１８の実行の後に続く。ステップ５２０では、ＷＣＤ１０６は復号すべき追加のページング・トラフィックがあるかどうかを判定する。このように、ステップ５２０はさらなるメッセージが受信されるべきことを受信ページング・チャネル・メッセージが示すかどうかを判定するステップを含む。受信すべき追加のページング・メッセージがあれば、ステップ５１６から５２０が再び実行される。他の場合は、動作はステップ５２２に進む。
【００６５】
ステップ５２２では、ＷＣＤ１０６は特定の時間区間の休眠モードに入る。この特定の時間区間は従来のＷＣＤによって用いられる休眠区間より大きい。これは電池の浪費を低減し、そしてＷＣＤ１０６の動作時間を拡張するのに有利である。ステップ５２２の実行は図６を参照してここにさらに詳細に記述される。
【００６６】
ステップ５２２の実行の後に、ステップ５２４が続く。ステップ５２４では、ＷＣＤ１０６は立上げモード動作に移行する。ステップ５２４は図７を参照してここにさらに詳細に記述される。この立上げモード動作への移行が一旦終了すると、ステップ５１６から５２４が繰返される。このサイクルはＷＣＤ１０６が稼働状態に移行するか、または電力供給の低下まで継続する。
【００６７】
ＶＩ．休眠モード区間タイミング
結合器カウンタ３３８はそれが同期されるフィンガ・カウンタ３４２を変えることができる。図４Ｂを参照してここに記述されたフィンガ・タイミングをもつこの同期特性を用いることによって、ＷＣＤ１０６の休眠モード区間の期間は従来の手法よりさらに大きい精度で制御される。このさらに大きい精度はＷＣＤ１０６がさらに長い休眠モード区間で動作することを可能にし、それによってその動作時間を拡張する。
【００６８】
ＷＣＤ１０６がＰＮ系列期間の非整数倍数の間休眠するとき、各フェーザー４５４は休眠区間の期間有効に「凍結される」。立上げモードへの次の再入の際、各フェーザー４５４はＰＮ循環４５２の回りを有効に「回転する」。例えば、復調モジュール３０６が４個の復調フィンガ３３２を用い、各々がＰＮ系列の４分の１で分離されている実施例において、ＷＣＤ１０６が各ＰＮ系列の４分の１の間休眠モードに入れば、ＰＮ系列発生器３４４及びフィンガ・カウンタ３４２はＰＮ系列期間の４分の１の間凍結されるであろう。ＷＣＤ１０６が立上げモードへ再入の際、ＰＮ系列発生器３４４及びフィンガ・カウンタ３４２はＰＮ系列期間の４分の１「後方に回転」されるであろう。
【００６９】
一手法によれば、前の立上げモードの間で用いられたフィンガ・カウンタ３４２への結合器カウンタ３３８の同期による連続動作はＰＮ系列期間の４分の１だけ進ませるためにフィンガ・カウンタ３４２及び対応するＰＮ系列発生器３４４を必要とするであろう。しかしながら、結合器カウンタ３３８はそれが同期されるフィンガ・カウンタ３４２を変更するから、本発明は稼働モードへ移行の際ＰＮ系列発生器３４４及びフィンガ・カウンタ３４２を進ませる必要性を取除く。
【００７０】
図６はさらに詳細にステップ５２２の動作を図示するフローチャートである。図５を参照してここに記述されたように、ステップ５２２では、ＷＣＤ１０６は特定の時間区間の休眠モードに入る。
【００７１】
ステップ６０２では、ＷＣＤ１０６はＰＮ系列発生器３４４、フィンガカウンタ３４２、及び結合器カウンタ３３８の動作を停止させる。一度停止されると、これらの構成要素の状態は次の立上げモードに移行するまで凍結される。このステップは制御器３１２によって実行される。この停止はフィンガ・カウンタ３４２の巡回の次の発生で起こる。図４Ｂを参照してここに記述されたタイミング方式を用いる実施例では、この停止は１以上の逆インタリーブ・フレームの受信の後ＰＮ系列の４分の１の期間実行される。ＩＳ−９５システムでは、逆インタリーブ・フレームは２０ミリ秒であり、そしてＰＮ系列期間の４分の１は６．６６７ミリ秒である。
【００７２】
次に、ステップ６０４では、ＷＣＤ１０６に割当てられた次のページング・チャネル・スロット２０２の始まり前の所定時間まで続く休眠モード区間にＷＣＤ１０６は或る電子構成要素の電源を低下させる。この所定時間は復号モジュール３１０など、構成要素に情報シンボルを供給することにより適切な動作状態にそれらを初期化するために必要である。この所定時間はフィンガ・カウンタ３４２の巡回で発生する。図４Ｂを参照してここに記述されたタイミング方式を用いる実施例では、この巡回はＷＣＤ１０６に割当てられた次のページング・チャネル・スロット２０２の始まり前のＰＮ系列期間の半分（ＩＳ−９５システムでは１３．３３３ミリ秒）で発生する。
【００７３】
図７はさらに詳細にステップ５２４の動作を図示するフローチャートである。図５を参照してここに記述されたように、ステップ５２４では、ＷＣＤ１０６は立上げモードに移行する。ステップ５２４はステップ７０２で始まる。ステップ７０２では、ＷＣＤ１０６はアナログ受信モジュール３０４を作動させる。このステップはダウンコンバージョン、ロック利得調整回路、及びロックＤＣバイアス回路に使用される周波数シンセサイザをロックするステップを含む。これらのステップによってアナログ受信モジュール３０４はアンテナ部３０２から受信されたＲＦ信号から有効なベースバンド信号を生成することが可能になる。
【００７４】
次に、ステップ７０４では、ＷＣＤ１０６はアナログ受信モジュール３０４によってマルチパス成分を識別するために供給される信号ストリームを探索する。ステップ７０４は復調モジュール３０６の探索器によって実行される。マルチパス伝搬遅延は一般的に急速に変わらないから、ステップ７０４の実行は各ＰＮオフセットを探索することを必要としない。その代りに、ステップ７０４は以前に用いられたＰＮオフセットから所定の範囲内で複数のＰＮオフセットを探索することを含む。
【００７５】
ステップ７０６では、ＷＣＤ１０６はステップ７０４で識別されたマルチパス成分を復調フィンガ３３２に割当てる。
【００７６】
ステップ７０６の実行が終了した後で、ステップ７０８で図示されたように、ＷＣＤ１０６は立上げモード動作に入る。立上げモード動作７０８は別の復調フィンガ３３２のフィンガ・カウンタ３４２へ結合器カウンタ３３８を再同期させるステップ７１０を含む。
【００７７】
図６を参照してここに記述されたように、立上げモード動作７０８はＷＣＤ１０６に割当てられたページング・チャネル・スロット２０２の始まり前のＰＮ系列期間の半分を始める。図４Ｂを参照してここに記述されたタイミング方式によってこれを達成するために、ステップ７１０はＰＮ系列期間の半分（ＩＳ−９５システムでは１３．３３３ミリ秒）だけ位相を異にするフィンガ・カウンタ３４２に結合器カウンタ３３８を再同期させるステップを含む。
【００７８】
ＶＩＩ．動作時間拡張の方法
ここに記述されたように、本発明によって休眠モード区間期間はさらに細かな密度によって制御されることが可能になる。このさらに細かな密度の結果として、これらの期間は増加し、それによってＷＣＤの動作時間を拡張する。
【００７９】
図８はＷＣＤ１０６のようなＷＣＤの動作時間を拡張する方法を図示するフローチャートである。この方法はステップ８０２で始まる。ステップ８０２では、フィンガ・カウンタ３４２など複数のカウンタは各カウンタが他の各カウンタに対して所定のオフセットで巡回するように分配される。ステップ８０２はＰＮ系列期間の周りに実質的に等しい時間増分で複数の各カウンタを配置する（並べる）ステップを含む。例えば、図４Ｂを参照してここに記述されたように、４個のカウンタはＰＮ系列期間増分の４分の１で配置される。
【００８０】
ステップ８０２は、図４Ｂを参照してここに記述されたように、ＰＮ系列発生器３４４といった対応する系列発生器に複数の各カウンタを同期させるステップを含む。この同期ステップは対応する各系列発生器をそれぞれオフセット分だけ移動させるステップを含む。図４Ｂを参照してここに記述されたように、この移動ステップによって系列発生器は対応するマルチパス伝送成分を復調することが可能になる。
【００８１】
ステップ８０４では、ステップ８０２で分配される複数のカウンタの巡回時間で発生する複数のタイミング点が提供される。
【００８２】
ステップ８０６では、ＷＣＤ１０６はステップ８０４で提供された複数のタイミング点の１つの発生で休眠と立上げモード動作の間を移行する。
【００８３】
ステップ８０６はＷＣＤ１０６に割当てられた次のページング・チャネル・スロット２０２の始まり前の所定数のタイミング点で立上げモード動作を始めるステップを含む。
【００８４】
さらなる実施例では、ステップ８０６はＷＣＤ１０６に割当てられた次のページング・チャネル・スロット２０２の始まり前の所定数のタイミング点で休眠モード動作を始めるステップを含む。このタイミング点はＷＣＤ１０６がそれに割当てられたページング・チャネル・スロットの間復号すべきページング・トラフィックがないことを判定した後で、最初に発生するタイミング点である。
【００８５】
ＶＩＩＩ．実施
ここに記述された機能性はハードウェア、ソフトウェア、またはその組合せを用いて実施され、そしてコンピュータ・システムまたは他の処理システムで実施される。実際、一実施例では、本発明はここに記述された機能性を実行することが可能なコンピュータシステムに対応する。典型的なコンピュータ・システム９０１は図９に示される。コンピュータ・システム９０１はプロセッサ９０４のような１以上のプロセッサを含む。プロセッサ９０４は通信バス９０２に接続される。様々なソフトウェアの実施例はこの例のコンピュータ・システムに関して示される。この記述を読取った後で、他のコンピュータ・システム及び／またはコンピュータ・アーキテクチャを使用して本発明を実行する方法は当該技術者には明白になるであろう。
【００８６】
コンピュータシステム９０２はまた主記憶装置（メモリ）９０６ 、好ましくはランダム・アクセス・メモリ（ＲＡＭ）及び二次記憶装置９０８を含む。二次記憶装置９０８はハードディスク・ドライブ９１０及び／または、例えばフロッピーディスク・ドライブ、磁気テープ・ドライブ、光ディスク・ドライブ等の移動可能な記憶装置９１２を含む。移動可能な記憶装置９１２は周知の方法で移動可能な記憶ユニット９１４から読出し、且つ／または移動可能な記憶ユニット９１４へ書込む。移動可能な記憶ユニット９１４はフロッピーディスク、磁気テープ、光ディスク等を表し、それらは移動可能な記憶装置９１２によって読出され、且つ書込まれる。
【００８７】
明らかなように、移動可能な記憶ユニット９１４はその中にコンピュータ・ソフトウェア及び／またはデータが記憶されたコンピュータ使用可能な記憶媒体を含む。
【００８８】
代りの実施例では、二次記憶装置９０８はコンピュータ・プログラムまたは他の命令がコンピュータ・システム９０１に装荷できる他の同様な手段を含めることができる。例えば、そのような手段は移動可能な記憶ユニット９２２及びインタフェース９２０を含む。そのような例は、ソフトウェア及びデータが移動可能な記憶ユニット９２２からコンピュータ・システム９０１に転送できるプログラム・カートリッジ及びカートリッジ・インタフェース（テレビゲーム・デバイスに見られるような）、移動可能な記憶チップ（ＥＰＲＯＭまたはＰＲＯＭなど）及び関連するソケット、及び他の移動可能な記憶ユニット９２２及びインタフェース９２０を含む。
【００８９】
コンピュータ・システム９０１はまた通信インタフェース９２４を含む。通信インタフェース９２４はコンピュータ・システム９０１及び外部デバイスの間でソフトウェア及びデータが転送されることを可能にする。通信インタフェース９２４の例はモデム、ネットワーク・インタフェース（イーサネット・カードのような）、通信ポート、ＰＣＭＣＩＡスロット及びカード等を含む。通信インタフェース９２４を経由して転送されたソフトウェア及びデータは通信インタフェース９２４によって受信が可能な電気、電磁気、光または他の信号である信号形式である。これらの信号９２６はチャンネル９２８を経由しての通信インタフェースに供給される。このチャンネル９２８は信号９２６を搬送し、そしてワイヤまたはケーブル、光ファイバ、電話回線、携帯電話回線、ＲＦ回線及び他の通信チャンネルを使用して実施される。
【００９０】
この文書では、術語「コンピュータ・プログラム媒体」及び「コンピュータ使用可能媒体」は移動可能な記憶デバイス９１２などの媒体、ハードディスク・ドライブ９１２に取付けられたハードディスク、及び信号９２６を一般に引用するために使用される。これらのコンピュータ・プログラム製品はソフトウェアをコンピュータ・システム９０１に供給する手段である。
【００９１】
コンピュータ・プログラム（またコンピュータ制御論理と呼ばれる）は主記憶装置及び／または二次記憶装置９０８に記憶される。コンピュータ・プログラムはまた通信インタフェース９２４を経由して受信できる。そのようなコンピュータ・プログラムは、実行されたとき、ここで論じたように本発明の特徴をコンピュータ・システムが実行することを可能にする。特に、コンピュータ・プログラムは、実行されたとき、本発明の特徴をプロセッサ９０４が実行することを可能にする。従って、そのようなコンピュータ・プログラムはコンピュータ・システム９０１の制御器を表す。
【００９２】
本発明がソフトウェアを使用して実施される実施例では、ソフトウェアはコンピュータ・プログラム製品に記憶され、そして移動可能な記憶ドライブ９１２、ハードディスク・ドライブ９１０または通信インタフェース９２４を使用してコンピュータ・システム９０１に搭載される。制御論理（ソフトウェア）は、プロセッサ９０４によって実行されたとき、ここで記述されたようにプロセッサ９０４が本発明の機能を実行させるものである。
【００９３】
別の実施例では、本発明は、例えば特定用途向け集積回路（ＡＳＩＣ）のようなハードウェア部品を使するハードウェアで主に実施される。ここに示された機能を実行するためのハードウェア状態の機械の実施は当該技術者には明白であろう。
【００９４】
さらに別の実施例では、本発明はハードウェアとソフトウェアの双方の組合せを使用して実施される。そのような組合せの例はマイクロコントローラを含むが、それに限定されない。
【００９５】
ＩＸ．結論
本発明の様々な実施例が上で記述されたけれども、それらは例に挙げたものに過ぎず、限定ではないことを理解すべきである。このように、本発明の幅及び範囲は上述の典型的な実施例のいかなるものにも限定されるべきものではなく、本発明の請求項及びそれらの等価物によってのみ定義されるべきである。
【図面の簡単な説明】
【図１】典型的な無線通信システム（ＷＣＳ）の図である。
【図２】典型的なページング・チャネル・フレームの図である。
【図３Ａ】ＷＣＤの典型的なスロット化ページング・チャネル受信部の機能ブロック図である。
【図３Ｂ】復調モジュールの図である。
【図４Ａ】フィンガ・タイミング様式によるタイミング関係を示すフェーザーの図である。
【図４Ｂ】フィンガ・タイミング様式によるタイミング関係を示すフェーザーの図である。
【図５】ＷＣＤの遊休状態の動作を図示するフローチャートである。
【図６】休眠モード動作への入り動作を図示するフローチャートである。
【図７】立上げ動作への移行の動作を図示するフローチャートである。
【図８】ＷＣＤの動作時間を拡張する方法を図示するフローチャートである。
【図９】典型的なコンピュータ・システムのブロック図である。
【符号の説明】
１００…通信システム  １０２…基地局  １０６…無線通信デバイス  １０８…システム制御器
【図１】
2004529517.tif 000003
【図２】
2004529517.tif 000004
【図３Ａ】
2004529517.tif 000005
【図３Ｂ】
2004529517.tif 000006
【図４Ａ】
2004529517.tif 000007
【図４Ｂ】
2004529517.tif 000008
【図５】
2004529517.tif 000009
【図６】
2004529517.tif 000010
【図７】
2004529517.tif 000011
【図８】
2004529517.tif 000012
【図９】
2004529517.tif 000013
【国際公開パンフレット】
2004529517.tif 000014
2004529517.tif 000015
2004529517.tif 000016
2004529517.tif 000017
2004529517.tif 000018
2004529517.tif 000019
2004529517.tif 000020
2004529517.tif 000021
2004529517.tif 000022
2004529517.tif 000023
2004529517.tif 000024
2004529517.tif 000025
2004529517.tif 000026
2004529517.tif 000027
2004529517.tif 000028
2004529517.tif 000029
2004529517.tif 000030
2004529517.tif 000031
2004529517.tif 000032
2004529517.tif 000033
2004529517.tif 000034
2004529517.tif 000035
2004529517.tif 000036
2004529517.tif 000037
2004529517.tif 000038
2004529517.tif 000039
2004529517.tif 000040
2004529517.tif 000041
2004529517.tif 000042
2004529517.tif 000043
2004529517.tif 000044
2004529517.tif 000045
【国際公開パンフレット（コレクトバージョン）】
2004529517.tif 000046
2004529517.tif 000047
【国際調査報告】
2004529517.tif 000048
2004529517.tif 000049
2004529517.tif 000050